(57)【要約】【課題】  支柱の途中にアンテナを取り付けやすくする。【解決手段】  環状体６を４つの分割部材６ａ乃至６ｄに分割形成し、各分割部材６ａ乃至６ｄ内にダイポールアンテナ８ａ乃至８ｄを互いに９０度間隔に配置し、各ダイポールアンテナ８ａ乃至８ｄの受信信号を合成器２２によって同相合成する。各分割部材６ａ乃至６ｄの間に支持腕１０ａ乃至１０ｄの一端部が挿入され、他端部側に取付部１２が設けられ、取付部１２によって支柱５に環状体６が取り付けられている。【選択図】        図１
2007324827.tif 000002
【特許請求の範囲】
【請求項１】
中心から一定距離をおいて前記中心の回りに環状に配置され、それぞれが水平面内において少なくとも外方を向く指向性を有する同一周波数帯用の複数のアンテナ素子と、
これらアンテナ素子の受信信号を合成する合成手段とを、
有するアンテナ。
【請求項２】
請求項１記載のアンテナにおいて、前記各アンテナ素子は、環状体内に配置されているアンテナ。
【請求項３】
請求項２記載のアンテナにおいて、前記環状体の内周面の異なる位置から前記中心側に向かう複数の支持腕が形成され、これら支持腕の前記中心側の端部に支柱への取付部が形成されているアンテナ。
【請求項４】
請求項２記載のアンテナにおいて、前記環状体は、複数の分割部材によって構成されているアンテナ。
【請求項５】
請求項４記載のアンテナにおいて、前記各分割部材の境界部から前記中心側に向かって支持腕が突出し、それら支持腕の前記中心側の端部に支柱への取付部が形成され、前記各分割部材は前記支持腕に固定されているアンテナ。
【発明の詳細な説明】
【技術分野】
【０００１】
本発明は、アンテナに関し、特に無指向性のアンテナに関する。
【背景技術】
【０００２】
近年、地上アナログ放送の他に、地上デジタル放送も開始されている。既に地上アナログ放送の受信用にアンテナが設置されている状態において、地上デジタル放送受信用のアンテナを追加して設置する必要が生じることがある。この場合、地上デジタル放送受信用のアンテナとしては、異なる位置にある複数の地上デジタル送信局からの地上デジタル放送信号も受信できるように無指向性アンテナを使用することができる。
【０００３】
無指向性アンテナとしては、例えば特許文献１に開示されているようなバイコニカルアンテナやディスコーンアンテナがある。
【０００４】
【特許文献１】特開２００１−１８５９４２号公報
【発明の開示】
【発明が解決しようとする課題】
【０００５】
ところで、地上アナログ放送受信用アンテナが取り付けられている支柱の中途に、地上デジタル放送受信用アンテナを設置することが望まれることがある。このような場合、特許文献１に開示されているようなバイコニカルアンテナやディスコーンアンテナは、その構造上、支柱の途中に取り付けにくい。また、支柱の上部に取り付けられている地上アナログ放送受信用アンテナの影響を受けやすい。
【０００６】
本発明は、支柱の途中に取り付けやすいアンテナを提供することを目的とする。本発明は、更に同じ支柱に取り付けられた他のアンテナの影響を受けにくいアンテナを提供することを目的とする。
【課題を解決するための手段】
【０００７】
本発明の一態様のアンテナは、複数のアンテナ素子を有している。これらアンテナ素子は、中心、例えば支柱の設置位置から一定距離をおいて前記中心の回りに環状に配置されている。これらアンテナ素子は、それぞれが水平面内において少なくとも外方を向く指向性を有する同一周波数帯用のものである。これらアンテナ素子としては、例えばダイポールアンテナや折り返しダイポールアンテナ等を使用することができる。これらアンテナ素子の受信信号を合成手段で合成する。この合成手段は、各受信信号を同相合成することが望ましい。
【０００８】
このアンテナによれば、アンテナ素子が環状に配置されているので、支柱の中途にも容易に取り付けることができる。
【０００９】
前記各アンテナ素子を環状体内に配置することができる。このように構成すると、環状体内に各アンテナ素子が配置されていることにより、このアンテナの上方に別のアンテナが設置されていたとしても、その影響を受けにくい。
【００１０】
更に、前記環状体の内周面の異なる位置から前記中心側に向かう複数の支持腕を形成することができる。この場合、支持腕の前記中心側の端部に支柱への取付部が形成されている。このように構成すると、支持腕の中側端部の取付部を利用して容易に支柱にこのアンテナを取り付けることができる。
【００１１】
また、前記環状体は、前記各アンテナ素子と複数の分割部材によって構成することができる。このように構成すると、各分割部材を支柱の回りで組み合わせることによって、支柱の中途に、このアンテナを設置することができるので、支柱に別のアンテナが既に取り付けられているような場合にも、その別のアンテナを取り外したり、支柱を倒したりする必要が無く、更にこのアンテナの支柱の中途への取付が容易にできる。
【００１２】
更に前記各分割部材の境界部から前記中心側に向かって支持腕が突出し、それら支持腕の前記中心側の端部に、支柱への取付部が形成され、前記各分割部材は前記支持腕に固定されている。このように構成すると、支柱に支持腕の取付部を取り付け、支持腕に各分割部材を取り付けることによって、このアンテナを組み立てることができるので、支柱の中途に益々容易にアンテナを取り付けることができる。
【発明の効果】
【００１３】
以上のように、本発明のアンテナは、支柱の中途に容易に取り付けることができる。更に、支柱に既に取り付けられているアンテナの影響を受けにくくすることもできる。
【発明を実施するための最良の形態】
【００１４】
本発明の１実施形態のアンテナ２は、地上デジタル放送受信用のアンテナで、図３に示すように地上アナログ放送受信用のアンテナ４が先端に取り付けられている支柱５の中途に取り付けられている。
【００１５】
このアンテナ２は、図１及び図２に示すように、環状体６を有している。この環状体６は、例えばドーナツ状に合成樹脂によって構成されている。この環状体６は、複数、例えば４つの分割部材６ａ乃至６ｄに分割形成されている。各分割部材６ａ乃至６ｄは、円周をほぼ４等分にした円弧に相当する形状である。
【００１６】
この環状体６の内部には、複数、例えば４つのアンテナ素子、例えばダイポールアンテナ８ａ乃至８ｄが配置されている。これらダイポールアンテナ８ａ乃至８ｄは、各分割部材６ａ乃至６ｄ内にそれぞれ１つずつ水平に収容されて、環状体６の中心を包囲するように位置している。これらダイポールアンテナ８ａ乃至８ｄは、環状体６の中心から等しい距離にあり、また互いに等角度、例えば９０度をなしている。従って、この実施形態では、ダイポールアンテナ８ａ、８ｃは互いに対向するように位置し、ダイポールアンテナ８ｂ、８ｄが互いに対向するように位置している。
【００１７】
これらダイポールアンテナ８ａ乃至８ｄは、ＵＨＦ帯における地上デジタル放送に使用されている周波数帯の中心周波数の波長λの例えば１／２の長さを有している。対向しているダイポールアンテナ８ａ、８ｃの間隔はほぼλであり、同じく対向しているダイポールアンテナ８ｂ、８ｄの間隔もほぼλである。これらダイポールアンテナ８ａ乃至８ｄは、水平面内において少なくとも外方に向かう指向性を有し、例えば水平面内においてそれらの長さ方向に対して垂直に８の字指向性を示す。
【００１８】
これら分割部材６ａ、６ｂの境界部には支持腕１０ａの一端部が挿入され、分割部材６ｂ、６ｃの境界部には支持腕１０ｂの一端部が挿入され、分割部材６ｃ、６ｄの境界部には支持腕１０ｃの一端部が挿入され、分割部材６ｄ、６ａの境界部には支持腕１０ｄの一端部が挿入されている。これら支持腕１０ａ乃至１０ｄは、一端部から環状体６の中心側に直線状に伸延している。これら支持腕１０ａ乃至１０ｄのうち、分割部材６ａの両端から伸延している支持腕１０ａ、１０ｄの環状体の中心側の他端部間には、取付半部１２ａが形成されている。同様に分割部材６ａと対向する位置にある分割部材６ｃの両端から伸延している支持腕１０ｂ、１０ｃの環状体の中心側の他端部間にも、取付半部１２ｂが形成されている。
【００１９】
これら取付半部１２ａ、１２ｂは、支柱５への取付部１２の一部をなし、それぞれ１／４円弧状である。取付半部１２ａ、１２ｂそれぞれの内面側に支柱５を両側から包囲する半円状のクランプ部材１２ｃ、１２ｄが一体に取り付けられている。クランプ部材１２ｃ、１２ｄは、ボルト１２ｅ、１２ｆによって支柱５に押圧固定されている。これら支持腕１０ａ乃至１０ｄ、取付半部１２ａ、１２ｂも、例えば合成樹脂製である。
【００２０】
図４に示すように、各分割部材６ａ乃至６ｄの両端部側には、これら端部に接触する支持腕１０ａ乃至１０ｄの一端部側に向かって突出する連結部、例えば突部１４がそれぞれ形成され、これら突部１４と係合する係合部、例えば凹部１６が、支持腕１０ａ乃至１０ｄの一端部の両側にそれぞれ形成されている。これら突部１４と凹部１６とによって各分割部材６ａ乃至６ｄが支持腕１０ａ乃至１０ｄに結合されている。なお、支持腕１０ａ乃至１０ｄへの各分割部材６ａ乃至６ｄの結合は、突部１４を支持腕１０ａ乃至１０ｄにネジ止めすることによっても可能である。
【００２１】
各ダイポールアンテナ８ａ乃至８ｄの給電点は、図１に示す出力端子１８ａ乃至１８ｄに接続されている。出力端子１８ａは、分割部材６ａの底面に設けられ、ダイポールアンテナ８ａの給電点が接続されている。出力端子１８ｂは、分割部材６ｂの底面に設けられ、ダイポールアンテナ８ｂの給電点が接続されている。出力端子１８ｃは、分割部材６ｃの底面に設けられ、ダイポールアンテナ８ｃの給電点が接続されている。出力端子１８ｄは、分割部材６ｄの底面に設けられ、ダイポールアンテナ８ｄの給電点が接続されている。これら出力端子１８ａ乃至１８ｄとしては、例えばＦ型接栓が使用されている。
【００２２】
これら出力端子１８ａ乃至１８ｄは、図５に示すように、伝送線路、例えば同軸ケーブル２０ａ乃至２０ｄを介して合成手段、例えば合成器２２の入力端子２４ａ乃至２４ｄに接続されている。なお、各同軸ケーブル２０ａ乃至２０ｄは、同一の長さのものである。
【００２３】
各入力端子２４ａ乃至２４ｄには、それぞれフィルタ２６ａ乃至２６ｄが接続されている。これらフィルタ２６ａ乃至２６ｄとしては、地上デジタル放送信号のみを通過させるバンドパスフィルタが使用されている。これらフィルタ２６ａ乃至２６ｄの出力が合成手段、例えば混合器２８によって混合され、フィルタ３０を介して出力端子３２に供給される。フィルタ３０も、フィルタ２６ａ乃至２６ｄと同一のものである。これらフィルタ２６ａ乃至２６ｄ、３０は、地上アナログ放送受信用のアンテナ４で受信された地上アナログ放送信号にゴーストの影響を与えないように、また出力端子３２に地上アナログ放送信号が生じないように設けられている。
【００２４】
このように構成されたアンテナ２では、各ダイポールアンテナ８ａ乃至８ｄが支柱５の回りに９０度間隔で配置されている。各ダイポールアンテナ８ａ乃至８ｄは、水平面において各ダイポールアンテナ８ａ乃至８ｄの長さ方向に垂直な方向に８の字指向性を示し、これら各ダイポールアンテナ８ａ乃至８ｄが同一の長さの同軸ケーブル２０ａ乃至２０ｄによって混合器２８によって混合されている。対向するダイポールアンテナ８ａ、８ｃ及び８ｂ、８ｄそれぞれの間隔はλとされ、例えばダイポールアンテナ８ａ、８ｃまたは８ｂ、８ｄでこれらの長さ方向に垂直な方向から到来する同じ地上デジタル放送信号を受信しているとき、両ダイポールアンテナ８ａ、８ｃまたは８ｂ、８ｄの受信信号は同相である。これらが総合されて、ダイポールアンテナ８ａ乃至８ｄの合成指向性は、水平面において無指向性となる。従って、このアンテナ２を支柱５に取り付けた場合、異なる送信局から送信される複数の地上デジタル放送信号を１台のアンテナ２によって受信することができる。
【００２５】
しかも、各ダイポールアンテナ８ａ乃至８ｄは、環状体６内に配置されており、環状体６の支持腕１０ａ乃至１０ｄを取付部１２によって取り付けることによって支柱５に、この環状体６を取り付けることができ、支柱５への取付が容易である。特に、環状体６は４つの分割部材６ａ乃至６ｄに分割形成され、各分割部材６ａ乃至６ｄは、支持腕１０ａ乃至１０ｄに固定されているので、支持腕１０ａ乃至１０ｄを支柱５に取付部１２によって取り付け、支持腕１０ａ乃至１０ｄの一端部に各分割部材６ａ乃至６ｄを取り付けることによって、このアンテナ２の環状体６を支柱５に取り付けることができる。従って、既に支柱５に地上アナログ放送受信用のアンテナ４が設置されている状態においても、これらアンテナ４を支柱５から外したり、アンテナ４及び支柱５を一旦倒したりするような余分な作業を行う必要が全くない。
【００２６】
しかも、各ダイポールアンテナ８ａ乃至８ｄは環状体６内に配置されているので、支柱５に設置したときに、支柱５に既に設置されている地上アナログ放送受信用アンテナ４の受信状況に殆ど影響を与えないし、またアンテナ４からも影響を受けにくい。
【００２７】
上記の実施の形態では、環状体６はドーナツ状に形成したが、これに限ったものではなく、例えば矩形の枠状に形成することもできる。また、上記の実施の形態では、環状体を分割形成したが、一体で形成することもできる。また、上記の実施の形態では、環状体６を４つに分割し、各分割部材６ａ乃至６ｄ内に１つずつダイポールアンテナを収容したが、これに限ったものではなく、例えば環状体の分割数をダイポールアンテナの数よりも少なくし、１つの分割部材内に複数のダイポールアンテナを収容することもできる。
【００２８】
上記の実施の形態では、支持腕１０ａ乃至１０ｄの一端部を各分割部材６ａ乃至６ｄの端部に配置したが、例えば分割部材の分割数を４よりも多くした場合、１対の支持腕の他端部を取り付け半部１２ａまたは１２ｂによって結合できるようにすれば、何個かおきの分割部材の端部に支持腕の一端部を配置することもできる。
【００２９】
上記の実施の形態では、合成器２２を環状体６の外部に設けたが、分割部材６ａ乃至６ｄのいずれか内に収容することもできる。また、各ダイポールアンテナ８ａ乃至８ｄの受信信号を同相とするために同軸ケーブル２０ａ乃至２０ｄの長さを同一としたが、移相器を合成器２２の各入力端子２４ａ乃至２４ｄとフィルタ２６ａ乃至２６ｄとの間にそれぞれ設けて、移相器による移相調整によって各受信信号を同相とすることもでき、この場合、各同軸ケーブル２０ａ乃至２０ｄが異なっていてもよい。
【００３０】
このように移相器を設けた場合には、対向するダイポールアンテナ８ａ、８ｃの間隔、８ｂ、８ｄの間隔をλとする必要はなく、移相器の調整によって対向するダイポールアンテナの受信信号を同相とすることもできる。
【００３１】
上記の実施の形態では、４つのダイポールアンテナ８ａ乃至８ｄを使用したが、２以上であれば種々の数とすることができる。但し、ダイポールアンテナの数が少なくなると、合成指向性は無指向性ではなく、指向性を持つが、特定の位置から複数の地上デジタル放送信号が送信されている場合には、その送信方向に指向性の向きを向ければよい。また、上記の実施の形態では、ダイポールアンテナ８ａ乃至８ｄを使用したが、これに限ったものではなく、例えば折り返しダイポールアンテナ等の８の字指向性を示すアンテナや、外方に指向性を持つ例えば八木形アンテナを使用することもできる。
【００３２】
また、上記の実施の形態では、フィルタ２６ａ乃至２６ｄ、３０を設けたが、場合によってはこれらを除去することもでき、合成手段としては、最低限度、混合器２８のみを備えていればよい。
【図面の簡単な説明】
【００３３】
【図１】本発明の１実施形態のアンテナの底面図である。
【図２】図１のアンテナの斜視図である。
【図３】図１のアンテナの使用状態を示す斜視図である。
【図４】図１のアンテナにおける分割部材と支持腕との結合の説明図である。
【図５】図１のアンテナのブロック図である。
【符号の説明】
【００３４】
２  アンテナ
５  支柱
６  環状体
６ａ乃至６ｄ  分割部材
８ａ乃至８ｄ  ダイポールアンテナ（アンテナ素子）
１０ａ乃至１０ｄ  支持腕
１２  取付部
【図１】
2007324827.tif 000003
【図２】
2007324827.tif 000004
【図３】
2007324827.tif 000005
【図４】
2007324827.tif 000006
【図５】
2007324827.tif 000007